(57)【要約】【課題】基地局においてＭＩＭＯの空間多重による無線通信の周波数を効率的に利用できるようにし、また、ＭＩＭＯとＣＡとが組み合わせられた信号を受信可能な端末の復号回路の規模を低減すること。【解決手段】基地局２００は、端末１００へ、アンテナ間相関が高い場合は周波数オフセットを含む制御信号を送り、アンテナ間相関が低い場合は周波数オフセットを含まない制御信号を送る。端末１００は、制御信号が周波数オフセットを含む場合、ＣＡによるデータ伝送を行う。一方、制御信号が周波数オフセットを含まない場合、端末１００は、ＭＩＭＯの空間多重によるデータ伝送を行う。【選択図】図３
2014171004.tif 000002
【特許請求の範囲】
【請求項１】
無線端末装置と基地局装置とが、複数のアンテナを用いて異なるデータを並列伝送する無線通信システムであって、
前記基地局装置は、
所定の基準に基づいて、前記無線端末装置のアンテナ間相関の高低を判定する相関判定部と、
前記アンテナ間相関が高い場合、前記データを互いに異なる複数の周波数帯で搬送される信号を用いて前記無線端末装置へ並列送信し、前記アンテナ間相関が低い場合、前記データを同一の周波数帯を用いて前記複数のアンテナから前記無線端末装置へ並列送信する送信部と、を有し、
前記無線端末装置は、
前記基地局装置から受信した信号を処理して前記データを得るデータ処理部と、
前記複数のアンテナそれぞれが受信した信号から、前記データ処理部にて処理すべき周波数帯域の信号を抽出する信号抽出部と、
前記複数のアンテナのアンテナ間相関が高い場合、前記信号抽出部を、互いに異なる周波数帯の信号を抽出するよう制御し、かつ、前記データ処理部を、前記互いに異なる周波数帯を用いて前記データが並列伝送されたものとして処理するよう制御し、前記アンテナ間相関が低い場合、前記信号抽出部を、同一の周波数帯で搬送された信号を抽出するように制御し、かつ、前記データ処理部を、前記同一の周波数帯を用いて前記データが並列伝送されたものとして処理するよう制御する制御部と、を有する、
無線通信システム。
【請求項２】
基地局装置との間で、複数のアンテナを用いて異なるデータを並列伝送する無線端末装置であって、
前記基地局装置から受信した信号を処理して前記データを得るデータ処理部と、
前記複数のアンテナそれぞれが受信した信号から、前記データ処理部にて処理すべき周波数帯域の信号を抽出する信号抽出部と、
前記複数のアンテナのアンテナ間相関が高い場合、前記信号抽出部を、互いに異なる周波数帯の信号を抽出するよう制御し、かつ、前記データ処理部を、前記互いに異なる周波数帯を用いて前記データが並列伝送されたものとして処理するよう制御し、前記アンテナ間相関が低い場合、前記信号抽出部を、同一の周波数帯で搬送された信号を抽出するように制御し、かつ、前記データ処理部を、前記同一の周波数帯を用いて前記データが並列伝送されたものとして処理するよう制御する制御部と、を有する、
無線端末装置。
【請求項３】
前記基地局装置からの下りリファレンス信号に基づいて、チャネル推定を行うチャネル推定部と、
前記チャネル推定の結果に基づいて、前記アンテナ間相関を算出する相関算出部と、
前記アンテナ間相関を示す相関情報を生成して前記基地局装置へ送信する相関結果報告部と、をさらに有する、
請求項２記載の無線端末装置。
【請求項４】
前記相関結果報告部は、
前記相関情報の代わりとして前記アンテナ間相関の高低を１ビットで示すＲＡＮＫ情報を前記基地局装置へ送信する、
請求項３記載の無線端末装置。
【請求項５】
前記チャネル推定部は、
前記無線端末装置が接続中の基地局装置を含む複数の基地局装置からの下りリファレンス信号ごとに、チャネル推定を行い、
前記相関算出部は、
前記チャネル推定の結果に基づいて、前記複数の基地局装置にそれぞれ対応した複数のアンテナ間相関を算出し、
前記相関結果報告部は、
前記複数のアンテナ間相関を示す複数相関情報を生成して前記基地局装置へ送信する、
請求項３記載の無線端末装置。
【請求項６】
前記制御部は、
ブラインド受信するように前記信号抽出部を制御し、
前記ブラインド受信が成功した場合、前記信号抽出部を、互いに異なる周波数帯の信号を抽出するよう制御し、かつ、前記データ処理部を、前記互いに異なる周波数帯を用いて前記データが並列伝送されたものとして処理するよう制御し、前記ブラインド受信が失敗した場合、前記信号抽出部を、同一の周波数帯で搬送された信号を抽出するように制御し、かつ、前記データ処理部を、前記同一の周波数帯を用いて前記データが並列伝送されたものとして処理するよう制御する、
請求項２記載の無線端末装置。
【請求項７】
無線端末装置との間で、複数のアンテナのそれぞれを用いて異なるデータを並列伝送する基地局装置であって、
所定の基準に基づいて、前記無線端末装置のアンテナ間相関の高低を判定する相関判定部と、
前記アンテナ間相関が高い場合、前記データを互いに異なる複数の周波数帯で搬送される信号を用いて前記無線端末装置へ並列送信し、前記アンテナ間相関が低い場合、前記データを同一の周波数帯を用いて前記複数のアンテナから前記無線端末装置へ並列送信する送信部と、を有する、
基地局装置。
【請求項８】
前記無線端末装置からの上りリファレンス信号に基づいて、チャネル推定を行うチャネル推定部をさらに有し、
前記相関判定部は、
前記チャネル推定の結果に基づいて、前記アンテナ間相関を算出する、
請求項７記載の基地局装置。
【請求項９】
前記相関判定部は、
前記無線端末装置から受信した相関情報が示す前記アンテナ間相関の高低を判定する、
請求項７記載の基地局装置。
【請求項１０】
前記相関判定部は、
前記無線端末装置から受信したＲＡＮＫ情報が示す前記アンテナ間相関の高低を判定する、
請求項７記載の基地局装置。
【請求項１１】
前記送信部は、
前記アンテナ間相関が高い場合、前記周波数オフセット値を前記無線端末装置へ通知し、前記アンテナ間相関が低い場合、前記周波数オフセット値を前記無線端末装置へ通知しない、
請求項７記載の基地局装置。
【請求項１２】
前記送信部は、
前記アンテナ間相関が高い場合、前記周波数オフセット値を前記無線端末装置へ通知するとともに、前記周波数オフセットを含む協調要求を、協調の必要な他の基地局装置へ通知し、
前記アンテナ間相関が低い場合、前記空間多重を行う旨を前記無線端末装置へ通知するとともに、前記周波数オフセット値を含まない協調要求を、前記協調の必要な他の基地局装置へ通知する、
請求項７記載の基地局装置。
【請求項１３】
基地局装置との間で、複数のアンテナを用いて異なるデータを並列伝送する無線端末装置が行う無線通信制御方法であって、
前記無線端末装置は、
前記基地局装置から受信した信号を処理して前記データを得るデータ処理部と、
前記複数のアンテナそれぞれが受信した信号から、前記データ処理部にて処理すべき周波数帯域の信号を抽出する信号抽出部と、を有し、
前記複数のアンテナのアンテナ間相関が高い場合、前記信号抽出部を、互いに異なる周波数帯の信号を抽出するよう制御し、かつ、前記データ処理部を、前記互いに異なる周波数帯を用いて前記データが並列伝送されたものとして処理するよう制御し、前記アンテナ間相関が低い場合、前記信号抽出部を、同一の周波数帯で搬送された信号を抽出するように制御し、かつ、前記データ処理部を、前記同一の周波数帯を用いて前記データが並列伝送されたものとして処理するよう制御するステップを有する、
無線通信制御方法。
【請求項１４】
無線端末装置との間で、複数のアンテナを用いて異なるデータを並列伝送する基地局装置が行う無線通信制御方法であって、
所定の基準に基づいて、前記無線端末装置のアンテナ間相関の高低を判定するステップと、
前記アンテナ間相関が高い場合、前記データを互いに異なる複数の周波数帯で搬送される信号を用いて前記無線端末装置へ並列送信し、前記アンテナ間相関が低い場合、前記データを同一の周波数帯を用いて前記複数のアンテナから前記無線端末装置へ並列送信するステップと、を有する、
無線通信制御方法。
【発明の詳細な説明】
【技術分野】
【０００１】
本発明は、複数のアンテナを用いて無線通信を行う無線通信システム、無線端末装置、基地局装置、および無線通信制御方法に関するものである。
【背景技術】
【０００２】
無線通信の分野において、伝送速度の高速化を実現するための技術は、例えば、以下のものが知られている。
【０００３】
例えば、非特許文献１には、ＭＩＭＯ（Multiple Input Multiple Output）が開示されている。ＭＩＭＯは、複数のアンテナを用いて無線送信および無線受信を行う技術であり、空間多重と空間ダイバシチがある。空間多重は、別々のアンテナから同一周波数帯で別々のデータを同時送信することで、単位周波数あたりの伝送量を拡大するために用いられる。また、空間多重は、アンテナごとに到来する伝搬路特性の違いを利用して信号を分離するので、アンテナ間相関が低いことが必要である。一方、空間ダイバシチは、別々のアンテナから同一周波数帯で同一のデータを同時送信することで、片方の伝搬路特性がもう片方の特性を補うことで安定した通信を実現するために用いられる。ＭＩＭＯでは、受信機（例えば携帯端末）は、送信機（例えば基地局）から送信された複数のストリームを、伝搬路の特性の差を用いて分離する処理を行う。なお、本明細書でいう「ストリーム」は、後述するＣＣ（コンポーネントキャリア）を含む意味とする。
【０００４】
また、例えば、非特許文献２には、キャリアアグリゲーション（Carrier Aggregation：以下、「ＣＡ」という)が開示されている。ＣＡは、データの搬送に用いる周波数帯（キャリア）を複数割り当てることにより伝送速度を向上させる技術である。ＣＡ自体はシングルアンテナでも実現可能であり、また、各キャリアで送信するデータは同一であっても異なっていてもよい。なお、ＣＡでは、割り当てられる各キャリアをコンポーネントキャリア（Component Carrier：以下、「ＣＣ」という）と呼ぶ。
【０００５】
このようなＭＩＭＯおよびＣＡは、ＬＴＥ（Long Term Evolution）の後継方式であるＬＴＥ−Ａｄｖａｎｃｅｄ（以下、「ＬＴＥ−Ａ」という）に採用される。ＬＴＥ−Ａでは、ＭＩＭＯにおけるアンテナ数とＣＡにおけるＣＣ数との組み合わせにより、伝送速度の高速化を実現する。
【先行技術文献】
【非特許文献】
【０００６】
【非特許文献１】3GPP TS36.211V9.1.0 “Evolved Universal Terrestrial Radio Access (E-UTRA); Physical channels and modulation”
【非特許文献２】3GPP TS36.912V9.3.0 “Feasibility study for Further Advancements for E-UTRA (LTE-Advanced)”
【発明の概要】
【発明が解決しようとする課題】
【０００７】
しかしながら、ＭＩＭＯの空間多重を用いた無線通信では、以下の課題がある。この課題について、図１、図２を用いて具体例を説明する。
【０００８】
図１において、基地局は、２つのアンテナ４１、４２を有し、それぞれのアンテナから２つの周波数ｆ１、ｆ２を用いてマルチストリーム送信を行う。すなわち、アンテナ４１は、周波数ｆ１によるストリームｆ１−１と、周波数ｆ２によるストリームｆ２−１とを送信する。また、アンテナ４２は、周波数ｆ１によるストリームｆ１−２と、周波数ｆ２によるストリームｆ２−２とを送信する。
【０００９】
また、図１において、基地局には、３つの端末が接続されている。端末１は、アンテナ１−１、１−２を有する。端末２は、アンテナ２−１、２−２を有する。端末３は、アンテナ３−１、３−２、３−３、３−４を有する。
【００１０】
ここで、マルチストリームで送信された信号を受信する場合、端末は、各ストリームで伝送された信号を分離する必要がある。しかし、ストリームの分離は、端末における各アンテナの受信特性の差を利用して行われるため、端末におけるアンテナ間相関（以下、「相関」という）が高い場合、端末は各ストリームで伝送された信号を分離できない。したがって、基地局は、相関の低い伝搬環境にある端末に対しては同一周波数を利用したマルチストリーム伝送を行うことはできない。そのため、例えば、端末１が、相関が高い伝搬環境にある場合、基地局と端末１との間ではＲＡＮＫ１伝送（シングルストリーム伝送）が行われる。その一方、例えば、端末２、３が、相関が低い伝搬環境にある場合、基地局と端末２、３それぞれとの間ではＲＡＮＫ２伝送（マルチストリーム伝送）が行われる。そして、このときの周波数は、図２に示すように、効率的に利用されていない状態となる。
【００１１】
このように、ＭＩＭＯの空間多重を用いた無線通信では、周波数が効率的に利用されない状況が起こる、という課題がある。
【００１２】
本発明の第１の目的は、基地局において、ＭＩＭＯの空間多重を用いた無線通信を行う場合、周波数を効率的に利用することである。
【００１３】
また、ＭＩＭＯとＣＡを組み合わせた無線通信では、端末において更に以下のような課題がある。
【００１４】
ＭＩＭＯは複数のストリームを用いて信号を同時に伝送し、また、ＣＡは周波数帯の異なるキャリアを複数用いて信号を同時に伝送する技術である。そのため、どちらも、複数の信号を同時に並行して復号する必要があり、受信可能な信号数分の復号回路が必要になる。したがって、ＭＩＭＯ用の受信回路とＣＡ用の受信回路を端末に実装すると回路規模が大きくなってしまうという課題がある。
【００１５】
本発明の第２の目的は、ＭＩＭＯとＣＡとが組み合わせられた信号を受信可能な端末において、その復号回路の規模を低減することである。
【課題を解決するための手段】
【００１６】
本発明の一態様に係る無線通信システムは、無線端末装置と基地局装置とが、複数のアンテナを用いて異なるデータを並列伝送する無線通信システムであって、前記基地局装置は、所定の基準に基づいて、前記無線端末装置のアンテナ間相関の高低を判定する相関判定部と、前記アンテナ間相関が高い場合、前記データを互いに異なる複数の周波数帯で搬送される信号を用いて前記無線端末装置へ並列送信し、前記アンテナ間相関が低い場合、前記データを同一の周波数帯を用いて前記複数のアンテナから前記無線端末装置へ並列送信する送信部と、を有し、前記無線端末装置は、前記基地局装置から受信した信号を処理して前記データを得るデータ処理部と、前記複数のアンテナそれぞれが受信した信号から、前記データ処理部にて処理すべき周波数帯域の信号を抽出する信号抽出部と、前記複数のアンテナのアンテナ間相関が高い場合、前記信号抽出部を、互いに異なる周波数帯の信号を抽出するよう制御し、かつ、前記データ処理部を、前記互いに異なる周波数帯を用いて前記データが並列伝送されたものとして処理するよう制御し、前記アンテナ間相関が低い場合、前記信号抽出部を、同一の周波数帯で搬送された信号を抽出するように制御し、かつ、前記データ処理部を、前記同一の周波数帯を用いて前記データが並列伝送されたものとして処理するよう制御する制御部と、を有する。
【００１７】
本発明の一態様に係る無線端末装置は、基地局装置との間で、複数のアンテナを用いて異なるデータを並列伝送する無線端末装置であって、前記基地局装置から受信した信号を処理して前記データを得るデータ処理部と、前記複数のアンテナそれぞれが受信した信号から、前記データ処理部にて処理すべき周波数帯域の信号を抽出する信号抽出部と、前記複数のアンテナのアンテナ間相関が高い場合、前記信号抽出部を、互いに異なる周波数帯の信号を抽出するよう制御し、かつ、前記データ処理部を、前記互いに異なる周波数帯を用いて前記データが並列伝送されたものとして処理するよう制御し、前記アンテナ間相関が低い場合、前記信号抽出部を、同一の周波数帯で搬送された信号を抽出するように制御し、かつ、前記データ処理部を、前記同一の周波数帯を用いて前記データが並列伝送されたものとして処理するよう制御する制御部と、を有する。
【００１８】
本発明の一態様に係る基地局装置は、無線端末装置との間で、複数のアンテナのそれぞれを用いて異なるデータを並列伝送する基地局装置であって、所定の基準に基づいて、前記無線端末装置のアンテナ間相関の高低を判定する相関判定部と、前記アンテナ間相関が高い場合、前記データを互いに異なる複数の周波数帯で搬送される信号を用いて前記無線端末装置へ並列送信し、前記アンテナ間相関が低い場合、前記データを同一の周波数帯を用いて前記複数のアンテナから前記無線端末装置へ並列送信する送信部と、を有する。
【００１９】
本発明の一態様に係る無線通信制御方法は、基地局装置との間で、複数のアンテナを用いて異なるデータを並列伝送する無線端末装置が行う無線通信制御方法であって、前記無線端末装置は、前記基地局装置から受信した信号を処理して前記データを得るデータ処理部と、前記複数のアンテナそれぞれが受信した信号から、前記データ処理部にて処理すべき周波数帯域の信号を抽出する信号抽出部と、を有し、前記複数のアンテナのアンテナ間相関が高い場合、前記信号抽出部を、互いに異なる周波数帯の信号を抽出するよう制御し、かつ、前記データ処理部を、前記互いに異なる周波数帯を用いて前記データが並列伝送されたものとして処理するよう制御し、前記アンテナ間相関が低い場合、前記信号抽出部を、同一の周波数帯で搬送された信号を抽出するように制御し、かつ、前記データ処理部を、前記同一の周波数帯を用いて前記データが並列伝送されたものとして処理するよう制御するステップを有する。
【００２０】
本発明の一態様に係る無線通信制御方法は、無線端末装置との間で、複数のアンテナを用いて異なるデータを並列伝送する基地局装置が行う無線通信制御方法であって、所定の基準に基づいて、前記無線端末装置のアンテナ間相関の高低を判定するステップと、前記アンテナ間相関が高い場合、前記データを互いに異なる複数の周波数帯で搬送される信号を用いて前記無線端末装置へ並列送信し、前記アンテナ間相関が低い場合、前記データを同一の周波数帯を用いて前記複数のアンテナから前記無線端末装置へ並列送信するステップと、を有する。
【発明の効果】
【００２１】
本発明の一態様に係る無線通信システム、基地局装置、基地局装置が行う無線通信制御方法は、基地局において、ＭＩＭＯの空間多重を用いた無線通信を行う場合、周波数効率的に利用することができる。また、本発明の一態様に係る無線通信システム、無線端末装置、無線端末装置が行う無線通信制御方法は、ＭＩＭＯとＣＡとが組み合わせられた信号を受信可能な端末において、その復号回路の規模を低減することができる。
【図面の簡単な説明】
【００２２】
【図１】複数のアンテナを用いて周波数の異なる複数のストリームを伝送する無線通信システムの一例を示す図
【図２】図１の無線通信システムで行われるストリーム伝送における周波数の利用状況の一例を示す図
【図３】本発明の実施の形態１に係る端末の受信構成例を示すブロック図
【図４】本発明の実施の形態１に係る基地局の受信構成例を示すブロック図
【図５】本発明の実施の形態１に係る基地局の動作例を示すフローチャート
【図６】本発明の実施の形態１に係る端末の動作例を示すフローチャート
【図７】本発明の実施の形態１に係る無線通信システムで行われるストリーム伝送における周波数の利用状況の一例を示す図
【図８】本発明の実施の形態２〜５に係る端末の構成例を示すブロック図
【図９】本発明の実施の形態２〜５に係る基地局の構成例を示すブロック図
【図１０】本発明の実施の形態２に係る端末の動作例を示すフローチャート
【図１１】本発明の実施の形態２に係る基地局の動作例を示すフローチャート
【図１２】本発明の実施の形態３に係る端末の動作例を示すフローチャート
【図１３】本発明の実施の形態３に係る基地局の動作例を示すフローチャート
【図１４】本発明の実施の形態４に係る端末の動作例を示すフローチャート
【図１５】本発明の実施の形態４に係る基地局の動作例を示すフローチャート
【図１６】本発明の実施の形態５に係る端末の動作例を示すフローチャート
【図１７】本発明の実施の形態５に係る基地局の動作例を示すフローチャート
【図１８】本発明の実施の形態１〜５に係る端末をデジタル回路で構成した例を示すブロック図
【発明を実施するための形態】
【００２３】
以下、本発明の実施の形態について、図面を参照しながら説明する。
【００２４】
（実施の形態１）
本発明の実施の形態１について説明する。
【００２５】
＜端末１００の構成＞
まず、本発明の実施の形態１に係る無線端末装置（以下、「端末」という）の構成について、図３を用いて説明する。図３は、本実施の形態の端末１００の構成例を示すブロック図である。
【００２６】
図３に示す端末１００は、２×２ＭＩＭＯの構成を有する。また、端末１００は、図４に示す基地局２００と無線通信システムを構成し、基地局２００との間で無線通信を行う。端末１００は、例えば、スマートフォン、タブレット、パーソナルコンピュータなどの移動体端末を適用できる。
【００２７】
図３において、端末１００は、ＢＰＦ群１０１、１１１、周波数変換器１０２、１１２、ＡＤＣ１０３、１１３、ＦＦＴ１０４、１１４、チャネル推定部１０５、空間分離／等価器１０６、制御チャネル復号回路１０７、復号回路１０８、１１８、周波数オフセット通知部１０９、およびローカル発振器１１０、１２０を有する。
【００２８】
ＢＰＦ（Band Pass Filter）群１０１は、予め定められた範囲の周波数の受信信号を通すＢＰＦを複数有して構成される。ＢＰＦ群１１１も、ＢＰＦ群１０１と同様に動作する。
【００２９】
周波数変換器１０２は、ローカル発振器１１０からの信号に基づいて、ＢＰＦ群１０１からの受信信号を中間周波数（ＩＦ：Intermediate Frequency）に変換する。周波数変換器１１２も、周波数変換器１０２と同様に動作する。
【００３０】
ＡＤＣ（Analog Digital Converter）１０３は、周波数変換器１０２からの受信信号を、アナログからデジタルへ変換する。ＡＤＣ１１３も、ＡＤＣ１０３と同様に動作する。
【００３１】
ＦＦＴ（Fast Fourier Transform）１０４は、ＡＤＣ１０３からの受信信号に対してＦＦＴ演算を行い、時間領域から周波数領域に変換する。ＦＦＴ１１４も、ＦＦＴ１０４と同様に動作する。
【００３２】
チャネル推定部１０５は、ＦＦＴ１０４、１１４からの受信信号に含まれる下りリファレンス信号（パイロット信号）を用いて、伝搬路から受ける影響（例えば、フェージング）による位相回転量および減衰量を推定する。
【００３３】
空間分離／等価器１０６は、チャネル推定部１０５によるチャネル推定の結果に基づいて、ＦＦＴ１０４、１１４からの受信信号に対して空間分離を行う。そして、空間分離／等価器１０６は、制御チャネル復号回路１０７からの指示に基づいて、空間分離後のデータを、復号回路１０８のみ、または、復号回路１０８および１１８の両方に出力する。
【００３４】
制御チャネル復号回路１０７は、ＦＦＴ１０４、１１４からの受信信号が制御信号である場合、その制御内容に基づいて、シングルストリーム伝送、ＭＩＭＯの空間多重によるマルチストリーム伝送、ＣＡによるマルチストリーム伝送のいずれを実行するかを決定する。ＭＩＭＯの空間多重によるマルチストリーム伝送とは、同一周波数帯を用いて異なるデータを伝送するモードである。また、ＣＡによるマルチストリーム伝送とは、複数周波数帯を用いて異なるデータを伝送するモードである。そして、制御チャネル復号回路１０７は、決定した結果を、空間分離／等価器１０６へ指示する。また、制御チャネル復号回路１０７は、ＣＡによるマルチストリーム伝送の実行を決定した場合、制御信号に含まれる周波数オフセット値（以下、「周波数オフセット」という）を周波数オフセット通知部１０９へ出力する。
【００３５】
復号回路１０８は、空間分離／等価器１０６からのデータに対して復号処理を行う。復号回路１１８も、復号回路１０８と同様に動作する。
【００３６】
周波数オフセット通知部１０９は、制御チャネル復号回路１０７からの周波数オフセットに基づいて、ＢＰＦ群１０１、１１１を制御する。すなわち、周波数オフセット通知部１０９は、ＢＰＦ群１０１、１１１において、適用中のＢＰＦから、周波数オフセット分ずらしたＢＰＦへ切り替える。また、周波数オフセット通知部１０９は、制御チャネル復号回路１０７からの周波数オフセットされた周波数を、ローカル発振器１１０、１２０に設定する。ここで、制御信号の復号と、その結果に応じて動作周波数モードを変更する事象間に時間的なずれが発生するが、例えば制御信号の情報は動作周波数を変更するタイミングの一つ前のタイミングを用いるなどすれば良く、ここでは発明の本質ではないので説明を省く。
【００３７】
ローカル発振器１１０は、周波数オフセット通知部１０９から受け取った周波数の信号を、周波数変換器１０２へ出力する。これにより、周波数変換器１０２において、ＢＰＦ群１０１で抽出された周波数帯域のうち、ローカル発振器１１０が発振する周波数に対応する信号が取り出される。よって、ＢＰＦ群１０１とローカル発信器１１０は、対象とする周波数が合致している必要がある。そのため、ＢＰＦ群１０１およびローカル発信器１１０が周波数オフセットを適用するタイミングは同時でなくてはならない。ローカル発振器１２０も、ローカル発振器１１０と同様に動作する。
【００３８】
なお、ＢＰＦ群１０１、１１１、ローカル発振器１１０、１２０、および周波数変換器１０２、１１２は、信号抽出部の一例である。信号抽出部は、複数のアンテナそれぞれが受信した信号から、データ処理部にて処理すべき周波数帯域の信号を抽出する。
【００３９】
また、空間分離／等価器１０６および復号回路１０８、１１８は、データ処理部の一例である。データ処理部は、基地局２００から受信した信号を処理してデータを得る。
【００４０】
また、制御チャネル復号回路１０７および周波数オフセット通知部１０９は、制御部の一例である。制御部は、複数のアンテナのアンテナ間相関が高い場合、信号抽出部を、互いに異なる周波数帯の信号を抽出するよう制御し、かつ、データ処理部を、互いに異なる周波数帯を用いてデータが並列伝送されたものとして処理するよう制御する。その一方、制御部は、アンテナ間相関が低い場合、信号抽出部を、同一の周波数帯で搬送された信号を抽出するように制御し、かつ、データ処理部を、同一の周波数帯を用いてデータが伝送されたものとして処理するよう制御する。
【００４１】
＜基地局２００の構成＞
次に、本発明の実施の形態１に係る基地局装置（以下、「基地局」という）の構成について、図４を用いて説明する。図４は、本実施の形態の基地局２００の構成例を示すブロック図である。
【００４２】
図４に示す基地局２００は、２受信ダイバシチの構成を有する。上り２×２構成の場合も同様の構成をとるが、この場合ダイバシチ／等価器２０６は空間分離回路となり、復号回路は２つめのストリーム用にもうひとつ必要となる。また、基地局２００は、図３に示す端末１００と無線通信システムを構成し、端末１００との間で無線通信を行う。
【００４３】
図４において、基地局２００は、ＢＰＦ２０１、２１１、周波数変換器２０２、２１２、ＡＤＣ２０３、２１３、ＦＦＴ２０４、２１４、チャネル推定部２０５、ダイバシチ／等価器２０６、相関算出部２０７、復号回路２０８、相関結果報告部２０９、およびローカル発振器２１０、２２０を有する。
【００４４】
ＢＰＦ２０１、２１１、周波数変換器２０２、２１２、ＡＤＣ２０３、２１３、ＦＦＴ２０４、２１４は、上述した端末１００の動作と同様にして、端末１００の各アンテナに割り当てた帯域の信号を抽出する。
【００４５】
チャネル推定部２０５は、上りリファレンス信号を確認し、既知の信号とのズレから各アンテナの伝搬特性を推定する。なお、リファレンス信号は、端末１００のアンテナが送信可能な全帯域に満遍なく配置されている。すなわち、基地局２００は、端末１００が対応している全帯域を抽出するので、ＢＰＦの切り替えを行わない。よって、基地局２００のＢＰＦ２０１、２１１は、「群」ではない。
【００４６】
相関算出部２０７は、チャネル推定部２０５によるチャネル推定の結果に基づいて、相関を算出する。なお、ここでいうチャネル推定の結果は、上りリファレンス信号に基づいたチャネル推定の結果である。本実施の形態では、伝搬路の可逆性から、上りの相関を用いて下りの相関を推定している。また、本明細書において、「相関」とは、「アンテナ間の伝搬路相関」を意味する。
【００４７】
また、相関算出部２０７は、所定の基準に基づいて、算出した相関が高いか低いかを判定する。換言すれば、相関算出部２０７は、端末１００が相関の高い伝搬環境と低い伝搬環境のどちらに存在しているかを判定する。相関の高い伝搬環境は、ＣＡによるマルチストリーム伝送に適している。一方、相関の低い伝搬環境は、ＭＩＭＯの空間多重によるマルチストリーム伝送を用いることで周波数利用効率を上げることができる。そして、相関算出部２０７は、判定の結果を、相関結果報告部２０９へ出力する。
【００４８】
相関結果報告部２０９は、相関算出部２０７からの判定の結果に基づいて制御信号を生成し、その制御信号を、端末１００へ通知するために下り送信回路へ出力する。すなわち、相関結果報告部２０９は、判定の結果、相関が高い（端末１００が相関の高い伝搬環境に存在する）場合、周波数オフセット情報を含む制御信号を生成し、下り送信回路へ出力する。一方、相関結果報告部２０９は、判定の結果、相関が低い（端末１００が相関の低い伝搬環境に存在する）場合、周波数オフセット情報を含まない制御信号を生成し、下り送信回路（詳細は図示せず）へ出力する。
【００４９】
下り送信回路は、周波数オフセット情報を含むまたは含まない制御信号（以下、「第２制御信号」という）を、端末１００へ送信する。なお、「周波数オフセット情報を含まない制御信号」は、「空間多重を行う旨を示す制御信号」で代用できる。
【００５０】
また、下り送信回路は、上述した第２制御信号とは別に、マルチストリーム送信を行うか否かを示す制御信号（以下、「第１制御信号」という）を、端末１００へ送信する。この第１制御信号を送信する理由は、以下の通りである。すなわち、端末は、空間多重を用いてマルチストリーム伝送を行う場合、複数のストリームを全部受信する必要がある。しかし、電界強度が低い場所にいる端末は、複数のストリームを分離受信できないので、空間多重を使用できない。よって、基地局２００は、電解強度の低い場所にいる端末に対して、マルチストリーム送信を行わない旨を示す第１制御信号を送信することで、その端末にシングルストリーム伝送（ＲＡＮＫ１伝送）を行わせる。
【００５１】
ダイバシチ／等価器２０６および復号回路２０８は、アップリンクの信号を復号する。
【００５２】
なお、相関算出部２０７は、相関判定部の一例である。相関判定部は、所定の基準に基づいて、端末のアンテナ間相関の高低を判定する。
【００５３】
相関結果報告部２０９および下り送信回路は、送信部の一例である。送信部は、アンテナ間相関が高い場合、データを互いに異なる複数の周波数帯で搬送される信号を用いて端末へ送信する。その一方で、送信部は、アンテナ間相関が低い場合、データを同一の周波数帯を用いて複数のアンテナから端末へ送信する。
【００５４】
＜基地局２００の動作＞
次に、基地局２００の動作例について説明する。図５は、本実施の形態の基地局２００の動作例を示すフローチャートである。
【００５５】
ステップＳ１０１において、基地局２００は、上りリファレンス信号に基づいてチャネル推定を行い、そのチャネル推定の結果に基づいて相関を算出する。そして、基地局２００は、所定の基準に基づいて、算出した相関が高いか低いかを判定する。この判定の結果、相関が高い場合（Ｓ１０１：相関高）、フローは、ステップＳ１０２へ進み、相関が低い場合（Ｓ１０１：相関低）、フローは、ステップＳ１０４へ進む。
【００５６】
ステップＳ１０２において、基地局２００は、周波数オフセットを含む第２制御信号を、端末１００へ通知する。このとき、基地局２００は、マルチストリーム送信を行う旨を示す第１制御信号を、端末１００へ通知する。
【００５７】
ステップＳ１０３において、基地局２００は、端末１００に対して、ストリームごとに周波数オフセットをかけて送信を実施する。すなわち、基地局２００は、ＣＡによるマルチストリーム送信を行う。
【００５８】
ステップＳ１０４において、基地局２００は、周波数オフセットを含まない第２制御信号を、端末１００へ通知する。このとき、基地局２００は、マルチストリーム送信を行う旨を示す第１制御信号を、端末１００へ通知する。
【００５９】
ステップＳ１０５において、基地局２００は、端末１００に対して、空間多重送信を実施する。すなわち、基地局２００は、ＭＩＭＯの空間多重によるマルチストリーム送信を行う。
【００６０】
＜端末１００の動作＞
次に、端末１００の動作例について説明する。図６は、本実施の形態の端末１００の動作例を示すフローチャートである。
【００６１】
ステップＳ２０１において、端末１００は、基地局２００からの第１制御信号に基づいて、マルチストリーム送信の有無を判定する。この判定の結果、第１制御信号がマルチストリーム送信を行う旨を示す場合（Ｓ２０１：有）、フローは、ステップＳ２０３へ進む。一方、第１制御信号がマルチストリーム送信を行わない旨を示す場合（Ｓ２０１：無）、フローは、ステップＳ２０２へ進む。
【００６２】
ステップＳ２０２において、端末１００は、基地局２００との間で、シングルストリーム受信を行う。
【００６３】
ステップＳ２０３において、端末１００は、基地局２００からの第２制御信号に基づいて、周波数オフセットの有無を判定する。この判定の結果、第２制御信号に周波数オフセットが含まれている場合（Ｓ２０３：有）、フローは、ステップＳ２０４へ進む。一方、第２制御信号に周波数オフセットが含まれていない場合（Ｓ２０３：無）、フローは、ステップＳ２０５へ進む。
【００６４】
ステップＳ２０４において、端末１００は、第２制御信号から抽出した周波数オフセットを、ＢＰＦ群１０１、１１１におけるＢＰＦの切り替え、および、周波数変換器１０２、１１２における周波数の変換に適用する。
【００６５】
ステップＳ２０５において、第２制御信号に周波数オフセットが含まれていなかった場合、端末１００は、ＭＩＭＯの空間多重を用い、同一周波数を用いたマルチストリーム受信を行うことになる。その一方、第２制御信号に周波数オフセットが含まれていた場合、端末１００は、ＣＡを用い、複数周波数を用いたマルチストリーム受信を行うことになる。これら両者にステップＳ２０５での処理の違いはない。
【００６６】
このように、本実施の形態の端末１００および基地局２００は、複数のアンテナを用いてマルチストリーム伝送を行う場合において、以下の特徴を有する。すなわち、基地局２００は、下りは空間多重を使用し、上りは空間ダイバシチを使用する環境において、電波伝搬の上下可逆性を用いて上りのチャネル推定で下りのアンテナ間相関を推定する試みを行っている。これにより、端末１００および基地局２００は、相関が高い場合はＣＡによるマルチストリーム伝送を行い、相関が低い場合はＭＩＭＯの空間多重によるマルチストリーム伝送を行う。したがって、基地局２００は、ＭＩＭＯの空間多重を用いた無線通信を行う場合、周波数を効率的に利用することができる。また、ＭＩＭＯとＣＡとが組み合わせられた信号を受信可能な端末１００は、両者の処理に違いがないため、その復号回路の規模を低減することができる。
【００６７】
例えば、図１において、本実施の形態の端末１００および基地局２００を適用した場合、図７に示すように、周波数が効率的に利用される。なお、図中の破線部分は、アンテナで受信されるが、ＣＡでは各受信系でＢＰＦを通過する周波数帯が違うため、ＢＰＦで破棄されることを意味している。
【００６８】
（実施の形態２）
本発明の実施の形態２について説明する。実施の形態２は、実施の形態１と比較すると、端末１００側で相関を算出する点が異なる。
【００６９】
＜端末１００の構成＞
本発明の実施の形態２に係る端末の構成について、図８を用いて説明する。図８は、本実施の形態の端末１００の構成例を示すブロック図である。
【００７０】
図８に示す端末１００は、２×２ＭＩＭＯの構成を有する。また、端末１００は、図９に示す基地局２００と無線通信システムを構成し、基地局２００との間で無線通信を行う。
【００７１】
図８において、端末１００は、図３に示す構成に加えて、相関算出部１１７および相関結果報告部１１９を有する。
【００７２】
相関算出部１１７は、チャネル推定部１０５によるチャネル推定の結果に基づいて、相関を算出する。なお、ここでいうチャネル推定の結果は、下りリファレンス信号に基づいたチャネル推定の結果である。
【００７３】
相関結果報告部１１９は、相関算出部１１７で算出された相関を示す相関情報を生成し、基地局２００へ通知するために、上り送信回路へ出力する。上り送信回路は、相関情報を基地局２００へ送信する。
【００７４】
＜基地局２００の構成＞
次に、本発明の実施の形態２に係る基地局の構成について、図９を用いて説明する。図９は、本実施の形態の基地局２００の構成例を示すブロック図である。
【００７５】
図９に示す基地局２００は、２受信ダイバシチの構成を有する。上り２×２構成の場合も同様の構成をとるが、この場合ダイバシチ／等価器２０６は空間分離回路となり、復号回路は２つめのストリーム用にもうひとつ必要となる。また、基地局２００は、図８に示す端末１００と無線通信システムを構成し、端末１００との間で無線通信を行う。
【００７６】
図９において、基地局２００は、図４に示す構成と比べて、相関算出部２０７および相関結果報告部２０９を有しておらず、制御チャネル復号回路２１７を有している。
【００７７】
制御チャネル復号回路２１７は、端末１００から、相関情報を受け取る。そして、制御チャネル復号回路２１７は、所定の基準に基づいて、受け取った相関情報が示す相関が高いか低いかを判定する。判定の結果、相関が高い場合、制御チャネル復号回路２１７は、周波数オフセットを含む第２制御信号を、端末１００へ通知するために、下り送信回路へ出力するとともに、ローカル発信器２１０、２２０に周波数オフセットを行う。一方、判定の結果、相関が低い場合、制御チャネル復号回路２１７は、周波数オフセットを含まない第２制御信号を、端末１００へ通知するために、下り送信回路へ出力する。
【００７８】
下り送信回路は、周波数オフセットを含むまたは含まない第２制御信号を、端末１００へ送信する。また、下り送信回路は、上述した第２制御信号とは別に、マルチストリーム送信を行うか否かを示す第１制御信号を、端末１００へ送信する。
【００７９】
＜端末１００の動作＞
次に、端末１００の動作例について説明する。図１０は、本実施の形態の端末１００の動作例を示すフローチャートである。
【００８０】
ステップＳ２１１において、端末１００は、下りリファレンス信号に基づいてチャネル推定を行い、そのチャネル推定の結果に基づいて相関を算出する。
【００８１】
ステップＳ２１２において、端末１００は、算出した相関を示す相関情報を生成し、基地局２００へ送信する。
【００８２】
ステップＳ２１２の後は、図６のフローへ続く。
【００８３】
＜基地局２００の動作＞
次に、基地局２００の動作例について説明する。図１１は、本実施の形態の基地局２００の動作例を示すフローチャートである。
【００８４】
ステップＳ１１１において、基地局２００は、端末１００から、相関情報を受信する。そして、基地局２００は、所定の基準に基づいて、受信した相関情報が示す相関が高いか低いかを判定する。この判定の結果、相関が高い場合（Ｓ１１１：相関高）、フローは、ステップＳ１０２へ進み、相関が低い場合（Ｓ１１１：相関低）、フローは、ステップＳ１０４へ進む。その後のフローは、図５を用いて説明済みであるので、ここでの説明は省略する。
【００８５】
このように、本実施の形態では、端末１００が、下りリファレンス信号を基に相関を算出して基地局２００へ通知し、基地局２００が、通知された相関に基づいて、ＭＩＭＯの空間多重またはＣＡのどちらを用いてマルチストリーム伝送を実行するかを決定する。これにより、本実施の形態は、実施の形態１と同様の効果を得ることができる。
【００８６】
（実施の形態３）
本発明の実施の形態３について説明する。実施の形態３は、実施の形態２と比較すると、端末１００が相関を基地局２００へ通知する際にＲＡＮＫ情報を用いる点が異なる。
【００８７】
＜端末１００の構成＞
本発明の実施の形態３に係る端末の構成は、図８と同じである。以下、相関算出部１１７および相関結果報告部１１９の動作について説明する。
【００８８】
相関算出部１１７は、チャネル推定部１０５によるチャネル推定の結果に基づいて、相関を算出する。なお、ここでいうチャネル推定の結果は、下りリファレンス信号に基づいたチャネル推定の結果である。
【００８９】
また、相関算出部１１７は、所定の基準に基づいて、算出した相関が高いか低いかを判定する。そして、相関算出部１１７は、判定の結果を、相関結果報告部１１９へ出力する。
【００９０】
相関結果報告部１１９は、相関算出部１１７からの判定の結果に基づいてＲＡＮＫ情報を生成し、そのＲＡＮＫ情報を、端末１００へ通知するために上り送信回路へ出力する。すなわち、相関結果報告部１１９は、判定の結果、相関が高い場合、その旨を示す１ビット（例えば０）のＲＡＮＫ情報を生成し、上り送信回路へ出力する。一方、相関結果報告部１１９は、判定の結果、相関が低い場合、その旨を示す１ビット（例えば１）のＲＡＮＫ情報を生成し、上り送信回路へ出力する。上り送信回路は、ＲＡＮＫ情報を端末１００へ送信する。
【００９１】
＜基地局２００の構成＞
本発明の実施の形態３に係る基地局の構成は、図９と同じである。以下、制御チャネル復号回路２１７の動作について説明する。
【００９２】
制御チャネル復号回路２１７は、ダイバシチ／等価器２０６からの信号を復号し、ＲＡＮＫ情報を受け取る。そして、制御チャネル復号回路２１７は、ＲＡＮＫ情報に基づいた動作を行う。すなわち、ＲＡＮＫ情報が例えば０である場合、制御チャネル復号回路２１７は、相関が高いと判定する。そして、制御チャネル復号回路２１７は、周波数オフセットを含む第２制御信号を、端末１００へ通知するために、下り送信回路へ出力するとともに、ローカル発信器に対して周波数オフセットを指示する。一方、ＲＡＮＫ情報が例えば１である場合、制御チャネル復号回路２１７は、相関が低いと判定する。そして、制御チャネル復号回路２１７は、周波数オフセットを含まない第２制御信号を、端末１００へ通知するために、下り送信回路へ出力するとともに、ローカル発信器に対して周波数オフセットを停止する。
【００９３】
下り送信回路は、周波数オフセットを含むまたは含まない第２制御信号を、端末１００へ送信する。また、下り送信回路は、上述した第２制御信号とは別に、マルチストリーム送信を行うか否かを示す第１制御信号を、端末１００へ送信する。
【００９４】
＜端末１００の動作＞
次に、端末１００の動作例について説明する。図１２は、本実施の形態の端末１００の動作例を示すフローチャートである。
【００９５】
ステップＳ２１１において、端末１００は、下りリファレンス信号に基づいてチャネル推定を行い、そのチャネル推定の結果に基づいて相関を算出する。そして、端末１００は、算出した相関が高いか低いかを判定する。
【００９６】
ステップＳ２２２において、端末１００は、算出した相関に応じたＲＡＮＫ情報を生成し、基地局２００へ送信する。
【００９７】
ステップＳ２２２の後は、図６のフローへ続く。
【００９８】
＜基地局２００の動作＞
次に、基地局２００の動作例について説明する。図１３は、本実施の形態の基地局２００の動作例を示すフローチャートである。
【００９９】
ステップＳ１２１において、基地局２００は、端末１００から、ＲＡＮＫ情報を受信する。そして、基地局２００は、ＲＡＮＫ情報に基づいて、相関が高いか低いかを判定する。この判定の結果、相関が高い場合（Ｓ１２１：相関高）、フローは、ステップＳ１０２へ進み、相関が低い場合（Ｓ１２１：相関低）、フローは、ステップＳ１０４へ進む。その後のフローは、図５を用いて説明済みであるので、ここでの説明は省略する。
【０１００】
このように、本実施の形態では、端末１００が、算出した相関の高低を示す所定のＲＡＮＫ情報を基地局２００へ通知し、基地局２００が、ＲＡＮＫ情報に基づいて相関の高低を判定し、ＭＩＭＯの空間多重またはＣＡのどちらを用いてマルチストリーム伝送を実行するかを決定する。これにより、本実施の形態は、実施の形態１と同様の効果を得ることができる。また、本実施の形態は、相関の高低を簡易に示すＲＡＮＫ情報を用いることで、実施の形態２に比べ、上りのトラフィックを減らすことができる。
【０１０１】
（実施の形態４）
本発明の実施の形態４について説明する。実施の形態４は、実施の形態１〜３と比較すると、端末１００側でブラインド受信する点が異なる。
【０１０２】
＜端末１００の構成＞
本発明の実施の形態４に係る端末の構成は、図８と同じである。ただし、復号回路１０８、１１８は、周波数オフセット通知部１０９へ接続されている（図示省略）。
【０１０３】
また、本実施の形態において、基地局２００は周波数オフセットの通知を行わないため、端末１００がブラインド受信を行う。そのため、本実施の形態の周波数オフセット通知部１０９は、ブラインド受信制御部として機能する。ただし、以下では「周波数オフセット通知部１０９」と表記する。
【０１０４】
また、本実施の形態において、相関算出部１１７および相関結果報告部１１９は、実施の形態２と同じ動作を行う。以下、制御チャネル復号回路１０７および周波数オフセット通知部１０９の動作について説明する。
【０１０５】
制御チャネル復号回路１０７は、ＦＦＴ１０４、１１４からの第１制御信号に基づいて、マルチストリーム送信の有無を判定する。この判定の結果、第１制御信号がマルチストリーム送信を行う旨を示す場合、制御チャネル復号回路１０７は、ブラインド受信を行うように、周波数オフセット通知部１０９へ指示する。
【０１０６】
周波数オフセット通知部１０９は、制御チャネル復号回路１０７からの指示に基づいて、ブラインド受信を行うように、ＢＰＦ群１０１、１１１およびローカル発振器１１０、１２０を制御する。このブラインド受信は、例えば、公知技術であるブラインド受信を適用できる。例えば、周波数オフセット通知部１０９は、復号回路１０８のＣＲＣ結果から復号結果「成功」を受け取る（意味のある信号を復号できる）まで、ＢＰＦおよびローカル発振器を制御し、ＣＡでの使用が想定される周波数帯をずらしながら復号を試みる。そして、復号結果「成功」を受け取った（意味のある信号を復号できた）場合、周波数オフセット通知部１０９は、ブラインド受信に成功したと判定する。この場合、基地局２００からＣＡによるマルチストリーム送信が行われていることになる。一方、予め用意された周波数帯域全てを用いて復号しても、復号結果「成功」を受け取らなかった（意味のある信号を復号できなかった）場合、周波数オフセット通知部１０９は、ブラインド受信に失敗したと判定する。この場合、基地局２００からＭＩＭＯの空間多重によるマルチストリーム送信が行われていることになる。
【０１０７】
ブラインド受信に成功したと判定した場合、周波数オフセット通知部１０９は、復号できた周波数帯域に固定するように、ＢＰＦ群１０１、１１１およびローカル発振器１１０、１２０を制御する。これにより、端末１００は、ＣＡによるマルチストリーム受信を実行する。一方、ブラインド受信に失敗したと判定した場合、周波数オフセット通知部１０９は、ＭＩＭＯの空間多重によるマルチストリーム受信を実行する。
【０１０８】
＜基地局２００の構成＞
本発明の実施の形態４に係る基地局の構成は、図９と同じである。以下、制御チャネル復号回路２１７の動作について説明する。
【０１０９】
制御チャネル復号回路２１７は、ダイバシチ／等価器２０６を通して復号した結果から、相関情報を受け取る。そして、制御チャネル復号回路２１７は、所定の基準に基づいて、相関情報が示す相関が高いか低いかを判定する。判定の結果、相関が高い場合、制御チャネル復号回路２１７は、ＣＡによるマルチストリーム送信を実行するように、ローカル発信器２１０、２２０に対して周波数オフセットをおこなう。これにより、下り送信回路は、端末１００に対して、ＣＡによるマルチストリーム送信を実行する。一方、判定の結果、相関が低い場合、制御チャネル復号回路２１７は、ＭＩＭＯの空間多重によるマルチストリーム送信を実行するように、ローカル発信器２１０、２２０の周波数オフセットを解除する。これにより、下り送信回路は、端末１００に対して、空間多重によるマルチストリーム送信を実行する。
【０１１０】
なお、下り送信回路は、ＣＡによるマルチストリーム送信または空間多重によるマルチストリーム送信の実行の前に、マルチストリーム送信を行うか否かを示す第１制御信号を、端末１００へ送信する。
【０１１１】
＜端末１００の動作＞
次に、端末１００の動作例について説明する。図１４は、本実施の形態の端末１００の動作例を示すフローチャートである。
【０１１２】
ステップＳ２１１、Ｓ２１２は、図１０を用いて説明済みであるので、ここでの説明は省略する。また、ステップＳ２０１、Ｓ２０２、Ｓ２０５は、図６を用いて説明済みであるので、ここでの説明は省略する。
【０１１３】
ステップＳ２３３において、端末１００は、ブラインド受信を実行する。この結果、ブラインド受信が成功した場合（Ｓ２３３：成功）、フローは、ステップＳ２３４へ進む。一方、ブラインド受信が失敗した場合（Ｓ２３３：失敗）、フローは、ステップＳ２０５へ進む。
【０１１４】
ステップＳ２３４において、端末１００は、復号が成功した周波数帯域に固定する。
【０１１５】
＜基地局２００の動作＞
次に、基地局２００の動作例について説明する。図１５は、本実施の形態の基地局２００の動作例を示すフローチャートである。
【０１１６】
図１５は、図１１と比較して、ステップＳ１０２、Ｓ１０４が無い点が異なる。すなわち、図１５において、基地局２００は、端末１００から受信した相関の高低を判定した結果、相関が高い場合（Ｓ１１１：相関高）、相関が低い場合（Ｓ１１１：相関低）に関わらず、第２制御信号を端末１００へ送信しない。すなわち、基地局２００は、相関が高いと判定すれば、端末１００に対して、ＣＡによるマルチストリーム送信を開始する。一方、相関が低いと判定すれば、端末１００に対して、空間多重によるマルチストリーム送信を開始する。
【０１１７】
このように、本実施の形態では、端末１００が、ブラインド受信の結果に応じて、ＭＩＭＯの空間多重またはＣＡのいずれかを用いてマルチストリーム受信を実行する。これにより、本実施の形態の基地局２００は、現行の通信方式に対して追加する制御情報を用いることなく、実施の形態１と同様の効果を得ることができる。また、本実施の形態は、基地局２００が端末１００に対して周波数オフセットの通知を行わないので、実施の形態２、３に比べ、下りのトラフィックを減らすことができる。
【０１１８】
（実施の形態５）
本発明の実施の形態５について説明する。実施の形態５は、実施の形態２と比較すると、セル間協調送受信（ＣｏＭＰ：Coordinated multipoint transmission/reception）を適用した点が異なる。
【０１１９】
＜端末１００の構成＞
本発明の実施の形態５に係る端末の構成は、図８と同じである。以下、相関算出部１１７および相関結果報告部１１９の動作について説明する。
【０１２０】
相関算出部１１７は、セル間協調送受信を適用するため、複数の基地局（協調元基地局および協調先基地局）からの下りリファレンス信号をそれぞれ検出し、その下りリファレンス信号ごとにチャネル推定を行い、アンテナ間相関をそれぞれ算出する。協調元基地局は、現在端末１００と接続中の基地局であり、協調先基地局は、それ以外の通信可能な基地局である。また、下りリファレンス信号は、セルごとに異なるので、相関算出部１１７は、どの相関がどの基地局のものであるかを識別できる。なお、本実施の形態では、協調元基地局は、基地局２００であるとする。
【０１２１】
相関結果報告部１１９は、相関算出部１１７で算出された複数の相関をそれぞれ示す複数相関情報を生成し、基地局２００へ通知するために、上り送信回路へ出力する。上り送信回路は、複数相関情報を基地局２００へ送信する。
【０１２２】
＜基地局２００の構成＞
本発明の実施の形態５に係る基地局の構成は、図９と同じである。以下、制御チャネル復号回路２１７の動作について説明する。
【０１２３】
制御チャネル復号回路２１７は、ダイバシチ／等価器２０６を通して復号した結果から、複数相関情報を受け取る。そして、制御チャネル復号回路２１７は、所定の基準に基づいて、複数相関情報が示す各相関が高いか低いかを判定する。
【０１２４】
上記判定の結果、各相関が高い場合、制御チャネル復号回路２１７は、周波数オフセットを含む第２制御信号を、端末１００へ通知するために、下り送信回路へ出力する。下り送信回路は、その第２制御信号を端末１００へ送信する。また、下り送信回路は、マルチストリーム送信を行うか否かを示す第１制御信号を、端末１００へ送信する。そして、制御チャネル復号回路２１７は、周波数オフセットを含む協調要求を、協調の必要な基地局（すなわち、協調先基地局）へ、基地局間の送信伝送路（図示せず）を介して通知する。
【０１２５】
一方、上記判定の結果、各相関が低い場合、制御チャネル復号回路２１７は、周波数オフセットを含まない第２制御信号を、端末１００へ通知するために、下り送信回路へ出力する。下り送信回路は、その第２制御信号を端末１００へ送信する。また、下り送信回路は、マルチストリーム送信を行うか否かを示す第１制御信号を、端末１００へ送信する。そして、制御チャネル復号回路２１７は、周波数オフセットを含まない協調要求を、協調の必要な基地局（すなわち、協調先基地局）へ、基地局間の送信伝送路（図示せず）を介して通知する。
【０１２６】
なお、上記では、複数相関情報が示す各相関の判定結果が揃っている場合を例としたが、各相関の判定結果の判定結果が揃っていない場合は、以下のように動作すればよい。例えば、制御チャネル復号回路２１７は、端末から見て受信電力が強い方の基地局の相関に対する判定結果を採用し、その判定結果に基づいてＣＡまたは空間多重のいずれかによるマルチストリーム送信の実行を決定する。
【０１２７】
＜端末１００の動作＞
次に、端末１００の動作例について説明する。図１６は、本実施の形態の端末１００の動作例を示すフローチャートである。
【０１２８】
ステップＳ２４１において、端末１００は、複数の基地局（協調元基地局よおび協調先基地局）からの下りリファレンス信号ごとにチャネル推定を行い、チャネル推定の結果に基づいて複数の相関を算出する。
【０１２９】
ステップＳ２４２において、端末１００は、算出した複数の相関を示す複数相関情報を生成し、協調元基地局である基地局２００へ送信する。
【０１３０】
ステップＳ２４２の後は、図６のフローへ続く。
【０１３１】
＜基地局２００の動作＞
次に、基地局２００の動作例について説明する。図１７Ａは、協調元基地局である基地局２００の動作例を示すフローチャートである。
【０１３２】
図１７Ａは、図１１と比較して、ステップＳ１０２、Ｓ１０４の後に、ステップＳ１４６、Ｓ１４７がそれぞれ追加されている点が異なる。以下、ステップＳ１４６、Ｓ１４７のそれぞれについて説明する。
【０１３３】
ステップＳ１４６において、基地局２００は、周波数オフセットを含む協調要求を、協調先基地局へ送信する。これにより、基地局２００は、協調先基地局に対して、協調要求とともに、ＣＡによるマルチストリーム伝送の実行を要求する。
【０１３４】
ステップＳ１４７において、基地局２００は、周波数オフセットを含まない協調要求を、協調先基地局へ送信する。これにより、基地局２００は、協調先基地局に対して、協調要求とともに、ＭＩＭＯの空間多重によるマルチストリーム伝送の実行を要求する。
【０１３５】
なお、以下では、上述した協調先基地局を「基地局３００」と表記して説明する。
【０１３６】
＜基地局３００の動作＞
次に、基地局３００の動作例について説明する。図１７Ｂは、協調先基地局である基地局３００の動作例を示すフローチャートである。
【０１３７】
ステップＳ１５１において、基地局３００は、基地局２００から、協調要求を受信する。そして、基地局３００は、協調要求に、周波数オフセットが含まれているか否かを判定する。この判定の結果、周波数オフセットが含まれている場合（Ｓ１５１：オフセット有）、フローは、ステップＳ１５２へ進む。一方、判定の結果、周波数オフセットが含まれていない場合（Ｓ１５１：オフセット無）、フローは、ステップＳ１５３へ進む。
【０１３８】
ステップＳ１５２において、基地局３００は、端末１００に対して、ストリームごとに周波数オフセットをかけて送信を実施する。すなわち、基地局３００は、ＣＡによるマルチストリーム送信を行う。
【０１３９】
ステップＳ１５３において、基地局３００は、端末１００に対して、ＭＩＭＯの空間多重によるマルチストリーム送信を行う。
【０１４０】
このように、本実施の形態では、端末１００が、協調先基地局および協調元基地局の相関をそれぞれ算出して協調元基地局である基地局２００へ通知し、基地局２００が、通知された各相関に基づいて、ＭＩＭＯの空間多重またはＣＡのいずれかを用いてマルチストリーム伝送を実行するかを決定する。また、基地局２００が、協調の必要な基地局３００に対して、決定した伝送方式を実行するように要求する。これにより、本実施の形態は、セル間協調送受信を適用した場合でも、実施の形態１と同様の効果を得ることができる。
【０１４１】
＜実施の形態の変形例＞
以上、本発明の各実施の形態について説明したが、上記説明は一例であり、種々の変形が可能である。以下、各実施の形態の変形例について説明する。
【０１４２】
また、例えば、上記実施の形態１〜５では、２×２ＭＩＭＯの構成を例としたが、本発明の構成は２×２に限定されない。
【０１４３】
また、例えば、上記実施の形態１〜５では、端末および基地局を、アナログ回路の構成としたが、デジタル回路の構成としてもよい。図１８は、端末１００をデジタル回路で構成した例である。図１８において、複素乗算器１２２、１３２が、周波数変換器１０２、１１２の代わりに機能する。そのため、図１８において、周波数オフセット通知部１０９は、ローカル発振器１１０に対して周波数オフセットを通知せず、複素乗算器１２２、１３２へ通知する。
【０１４４】
また、例えば、上記実施の形態４で説明した、図１４のフローの「基地局２００は、相関が高い場合、周波数オフセットを通知しない」動作、および、図１５のフローの「端末１００は、ブラインド受信を行う」動作は、実施の形態２、３、５に適用してもよい。
【０１４５】
また、例えば、上記実施の形態５では、協調先基地局を、１つ（基地局３００）としたが、複数あってもよい。
【０１４６】
また、例えば、上記実施の形態１〜５では、本発明をハードウェアで構成する場合を例にとって説明したが、本発明はハードウェアとの連係においてソフトウェアでも実現することも可能である。
【産業上の利用可能性】
【０１４７】
本発明は、複数のアンテナを用いて無線通信を行う無線通信システム、無線端末装置、基地局装置、および無線通信制御方法として有用である。
【符号の説明】
【０１４８】
１００  端末
１０１、１１１  ＢＰＦ群
１０２、１１２  周波数変換器
１０３、１１３  ＡＤＣ
１０４、１１４  ＦＦＴ
１０５  チャネル推定部
１０６  空間分離／等価器
１０７  制御チャネル復号回路
１０８、１１８  復号回路
１０９  周波数オフセット通知部
１１０、１２０  ローカル発振器
１１７  相関算出部
１１９  相関結果報告部
１２１、１３１  直交復調器
１２２、１３２  複素乗算器
２００  基地局
２０１、２１１  ＢＰＦ
２０２、２１２  周波数変換器
２０３、２１３  ＡＤＣ
２０４、２１４  ＦＦＴ
２０５  チャネル推定部
２０６  ダイバシチ／等価器
２０７  相関算出部
２０８  復号回路
２０９  相関結果報告部
２１０、２２０  ローカル発振器
２１７  制御チャネル復号回路
【図１】
2014171004.tif 000003
【図２】
2014171004.tif 000004
【図３】
2014171004.tif 000005
【図４】
2014171004.tif 000006
【図５】
2014171004.tif 000007
【図６】
2014171004.tif 000008
【図７】
2014171004.tif 000009
【図８】
2014171004.tif 000010
【図９】
2014171004.tif 000011
【図１０】
2014171004.tif 000012
【図１１】
2014171004.tif 000013
【図１２】
2014171004.tif 000014
【図１３】
2014171004.tif 000015
【図１４】
2014171004.tif 000016
【図１５】
2014171004.tif 000017
【図１６】
2014171004.tif 000018
【図１７】
2014171004.tif 000019
【図１８】
2014171004.tif 000020